(57)【要約】【課題】  被冷却物たる室内の物品に冷風を吹き付けることなく効率良く冷却を行うことができ、しかもランニングコストの低減も期すことのできる冷却室を提供する。【解決手段】  断熱層２ａを有する外壁体２の内側に、この外壁体と離間する内壁体３を有し、外壁体と内壁体との間に冷却空気が流通される冷気循環路４を備え、前記内壁体の内側に、この内壁体の側壁部内面に、室内空気を吸入して内壁体に沿って略水平方向に送出する送風機９、１０を複数設け、これら送風機の駆動により内壁体の側壁部に沿って流れる循環空気流を形成するようにしてあり、前記送風機は、内壁体における側壁部のほぼ全高に亘って空気の吸入および送出が行われるように構成した。【選択図】  図１
2006145150.tif 000002
【特許請求の範囲】
【請求項１】
断熱層を有する外壁体の内側に、この外壁体と離間する内壁体を有し、外壁体と内壁体との間に冷却空気が流通される冷気循環路を備え、前記内壁体の内側に、この内壁体の側壁部内面に、室内空気を吸入して内壁体に沿って略水平方向に送出する送風機を複数設け、これら送風機の駆動により内壁体の側壁部に沿って流れる循環空気流を形成するように構成してなる冷却室。
【請求項２】
前記送風機は、内壁体における側壁部のほぼ全高に亘って空気の吸入および送出が行われるように構成してなる請求項１に記載の冷却室。
【発明の詳細な説明】
【技術分野】
【０００１】
本発明は室内に直接冷風を送り込むことなく冷却を行う間接冷却タイプの冷却室に関する。
【背景技術】
【０００２】
冷蔵倉庫や環境試験室などに利用される室内を冷却する場合には、室内にユニットクーラ等の冷却手段を設け、室内空気を冷却して循環させるのが一般的である。
【０００３】
しかし、例えば冷蔵倉庫内に冷凍食品を保管する場合のように室内の物品に冷風による乾燥が懸念されるケースや、環境試験室において供試体に冷風が吹き付けられると試験結果に影響を及ぼすおそれがある場合など、室内の物品に冷風を当てないようにしなければならない場合には、冷却室の外壁の内側に外壁と離間する内壁を設け、外壁と内壁との間を冷却空気の循環路としてこの循環路を流れる空気の冷熱を内壁を介して被冷却室内に輻射せしめて伝達するようにする無風冷却を行う場合がある（例えば、特許文献１、２参照）。
【０００４】
上述した無風冷却は、室内空気を冷却する冷却器への着霜を防止できるというメリットはあるが、循環路を流過する冷却空気と室内空気の間に内壁が介在するので、冷却空気を直接室内に送出する場合に比して冷却効率が低く、したがって循環路における冷却空気の温度を所要の室内冷却温度よりも低く設定しなければならず、無駄な冷却エネルギを要すし、また室内温度にむらが生じ易く、温度制御も容易ではないという問題がある。
【特許文献１】実開平６−５１７６９号公報（第１〜２頁、図１〜３）
【特許文献２】特許第３５２２９７７号公報（第１〜５頁、図１〜２）
【発明の開示】
【発明が解決しようとする課題】
【０００５】
本発明は、被冷却物たる室内の物品に冷風を吹き付けることなく効率良く冷却を行うことができ、しかもランニングコストの低減も期すことのできる冷却室を提供することにある。
【課題を解決するための手段】
【０００６】
上記目的を達成するために、本発明に係る冷却室は、断熱層を有する外壁体の内側に、この外壁体と離間する内壁体を有し、外壁体と内壁体との間に冷却空気が流通される冷気循環路を備え、前記内壁体の内側に、この内壁体の側壁部内面に、室内空気を吸入して内壁体に沿って略水平方向に送出する送風機を複数設け、これら送風機の駆動により内壁体の側壁部に沿って流れる循環空気流を形成するようにした構成のものとしてある。
【０００７】
前記送風機は、内壁体における側壁部のほぼ全高に亘って空気の吸入および送出が行われるようにした構成のものとしてある。
【発明の効果】
【０００８】
本発明によれば、冷気循環路内を循環する冷却空気の冷熱は内壁体を介して冷却室内に伝導し、内壁体から輻射する冷熱によって室内空気が冷却される。
【０００９】
また、内壁体に設けた送風機によって室内空気が内壁体に沿って周回するように流され、この内壁体に沿って周回する室内空気が内壁体の冷熱を奪って冷却される。
【００１０】
したがって、室内空気の流れは内壁体の内側に沿って形成されるので、室内の物品に冷却空気を直接吹き付けることがない状態で冷却することができ、物品に対して乾燥等の冷風による影響を殆ど与えずに効率良く冷却を行うことができる。
【００１１】
また、室内空気が内壁体に沿って流動させられるので、内壁体からの輻射冷却だけの場合に比して熱伝達率が大となり、内壁体の冷却室側における伝熱性能が向上する。
【００１２】
したがって、室内空気の温度むらが生じにくく、室内温度の制御も正確に行うことができ、設定室内温度が同じであれば、室内に送風機を設けない従来のものに比して冷気循環路内の冷却空気の温度を高く設定することができる。
また、冷凍機を高効率で運転でき、省エネルギ化を期すことができるとともに、内壁体の温度も室内に送風機を設けない従来のものに比して高くなるので、内壁への着霜も抑えることができる。
【実施例】
【００１３】
以下、本発明に係る冷却室の実施例を添付図面に示す具体例に基づいて詳細に説明する。
冷蔵倉庫や環境試験室等の冷却室１は、断熱層２ａを有する外壁体２と、この外壁体と離間する内壁体３を備え、これら外壁体と内壁体との間に冷気循環路４が形成されている。
【００１４】
上記冷気循環路内には、空気冷却装置５を設けてあり、同空気冷却装置は外部の冷凍機６から冷媒往管６ａと同復管６ｂによって冷媒が供給される蒸発器７と送風機８を備え、送風機８の駆動によって冷気循環路４内に冷却空気が循環するように構成してある。
【００１５】
しかして、内壁体３の側壁部３ａにはそれぞれ送風機９、１０を設けてあり、これら送風機は室内空気を吸入し、内壁体に沿って送出する構成のものとしてある。
【００１６】
具体的には、側壁部３ａの送風機９、１０には、例えばクロスフローファンを採用し、側壁部のほぼ全高に亘るよう設けられ、送風機ケーシングの一側面にあけた吸入口９ａ、１０ａから室内空気を吸入し、他の側面に設けた送出口９ｂ、１０ａから空気を吐出するように構成してある。
【００１７】
より詳しくは、側壁部３ａの隅部に設けられた送風機９は一方の側壁部に沿って流れて来る空気を吸入して他方の側壁に沿って送出するよう吸入口９ａと送出口９ｂが鉛直軸まわりに９０°をなすように構成されており、側壁部の途中に設けられた送風機１０は、吸入口１０ａ送出口１０ｂが鉛直軸まわりに１８０°をなし、側壁部に沿って流れてくる空気を吸入してそのまま同じ側壁部に沿って空気を送出する。
【００１８】
したがって、送風機は側壁部に沿って隣り合う２つの送風機のうち、一方の送風機から送出される空気を吸入して他方の送風機に向けて送出するようになっていて、室内には側壁部に沿って左右いずれかの方向（図２では左回り）に周回する空気流が形成される。
【００１９】
なお、図２に示した実施例のものでは４面ある側壁部３ａの全てにおいて中央部に送風機１０を設けるとともに、４隅部の全てに送風機９を設けてあるが、冷却室内の形状や寸法および冷却室内に収容される物品によっては送風機を全ての側壁部あるいは隅部には設けない場合もあるし、送風機の数を増やす場合もある。
【００２０】
また上述した実施例のものにおいては、冷気循環路内に空気冷却装置５を設けてあるが、冷却室の外部に空気冷却装置を設け、この空気冷却装置からダクト等の空気通路を介して冷却空気を冷気循環路４に供給するように構成する場合もある。
【図面の簡単な説明】
【００２１】
【図１】本発明に係る冷却室の縦断面図。
【図２】本発明に係る冷却室の横断面図。
【符号の説明】
【００２２】
１  冷却室
２  外壁体
３  内壁体
４  冷気循環路
５  空気冷却装置
６  冷凍機
７  蒸発器
８  送風機
９、１０  送風機
【図１】
2006145150.tif 000003
【図２】
2006145150.tif 000004